(57)【要約】【課題】撮影装置の記録媒体の記録容量に関わり無く撮影できるようにする。【解決手段】ＤＳＣ１０は、シャッターがＯＮされた場合に、撮影し、撮影して得られた画像データを、メモリに記憶せずに、そのまま通信装置を介して送信する。このように、ＤＳＣ１０の通信装置３０送信された画像データを、自身の通信装置を介して受信したサーバー１６は、受信した画像データに画像処理を施す。【選択図】　図１
2004112486.tif 000002
【特許請求の範囲】
【請求項１】
被写体を撮影する撮影手段を備えた撮影装置から、　該撮影手段による前記撮影により得られた画像データを通信回線を介して受信する受信手段と、
前記受信手段により受信された画像データに画像処理を施す画像処理手段と、
を備えた画像処理装置。
【請求項２】
前記撮影手段の前記撮影により得られた画像データの画像処理を実行するためのプログラムを入力する入力手段と、
前記画像処理手段は、前記入力手段により入力されたプログラムに基づいて、前記画像データに画像処理を更に施す、
ことを特徴とする請求項１記載の画像処理装置。
【発明の詳細な説明】
【０００１】
【発明の属する技術分野】
本発明は、画像処理装置にかかり、より詳しくは、撮影装置からの画像データに画像処理を施す画像処理装置に関する。
【０００２】
【従来の技術】
従来、被写体を撮影して得られた画像データに、画像補間などの所定のデジタル信号処理を行い、所定のデジタル信号処理が行われて得られたＲＡＷ画像データを、メモリーカードに記録し、ＲＡＷ画像データが記録されたメモリカードからサーバーにアップロードさせ、該サーバーにおいて、画像処理を行う技術が提案されている（特許文献１参照。）。
【０００３】
【特許文献１】
特開２００２−１５２５８０公報
【０００４】
【発明が解決しようとする課題】
しかしながら、上記特許文献１に記載の技術では、デジタル信号処理が行われたＲＡＷ画像データをメモリーカードに記録し、メモリーカードからＲＡＷ画像データをサーバーにアップロードしているので、迅速性に欠けるとともに、メモリーカードの記録容量以上に画像を得ることができない。
【０００５】
本発明は、上記事実に鑑みなされたもので、撮影装置の記録媒体の記録容量に関わり無く撮影できるようにすることの可能な画像処理装置を提供することを目的とする。
【０００６】
【課題を解決するための手段】
上記目的を達成するため請求項１記載の発明は、被写体を撮影する撮影手段を備えた撮影装置から、該撮影手段による前記撮影により得られた画像データを通信回線を介して受信する受信手段と、前記受信手段により受信された画像データに画像処理を施す画像処理手段と、を備えている。
【０００７】
すなわち、受信手段は、撮影装置から画像データを通信回線を介して受信する。そして、画像処理手段は、受信手段により受信された画像データに画像処理を施す。
【０００８】
このように、撮影装置から画像データを通信回線を介して受信し、受信した画像データに画像処理を施すようにしているので、上記のようにメモリーカードを介してアップロードするのではなく、画像データを通信回線を介して受信するので、即座に画像データを得て、画像処理を施すことができる。
【０００９】
ここで、本発明の画像処理装置は、請求項２に記載のように、前記撮影手段の前記撮影により得られた画像データの画像処理を実行するためのプログラムを入力する入力手段と、前記画像処理手段は、前記入力手段により入力されたプログラムに基づいて、前記画像データに画像処理を更に施すようにしてもよい。
【００１０】
このように、撮影手段の撮影により得られた画像データの画像処理を実行するためのプログラムを入力し、該プログラムに基づいて画像データに画像処理を更に施すようにしているので、新たな画像処理機能に対して、撮影装置を買い替えることなく実行することができる。
【００１１】
【発明の実施の形態】
以下、図面を参照して、本発明の第一の実施の形態を説明する。図１に示すように、本実施の形態にかかる画像処理装置としてのサーバ１６は、後述する通信装置を介してデジタルスチルカメラ（以下、ＤＳＣと言う）１０と通信することができる。尚、サーバ１６は、ＤＳＣの撮影により得られた画像データ処理機能を実行するためのプログラムを記録している。
【００１２】
次に、ＤＳＣ１０の制御系を説明する。図２に示すように、ＤＳＣ１０は、オートフォーカス、ストロボなどを備えた光学部４２、光学部４２を介して被写体からの光を受光するＣＣＤ４４、ＣＣＤ４４からの画像データをアナログ／デジタル変換するＡ／Ｄ変換機４６、Ａ／Ｄ変換機４６によってデジタル変換された画像データに対して基本画像処理を施す基本画像処理回路４８、及びこれらを制御する、後述するメモリを備えた制御装置５８を備えている。尚、光学部４２、ＣＣＤ４４、Ａ／Ｄ変換機４６、基本画像処理回路４８は撮影手段に対応する。
【００１３】
制御装置５８には、前述した表示装置２８、シャッター２２やモードスイッチ２４などからなる操作装置３２、電源装置５２が接続されている。また、制御装置５８には、前述した通信装置３０が接続されている。
【００１４】
以上説明したように、ＤＳＣ１０には、撮影に必要な構成（撮影により得られた画像データを記録するメモリ（制御装置５８内に存在）及び該画像データの画像を表示する表示装置２８等）のみを有する。
【００１５】
図３に示すように、サーバー１６は、ＤＳＣ１０の通信装置３０と通信する通信装置６２、通信装置６２にバスを介して接続されたサーバー本体６０を備えている。サーバ本体６０は、通信装置６２を介して受信した画像データに画像処理を施す画像処理回路６４と、画像処理回路によって画像処理が施された画像データを保存する記憶装置６６、及び、画像処理機能を実行するためのプログラムを入力する入力ポート６８を備えている。
【００１６】
次に本実施の形態の作用を説明する。
【００１７】
図示しない機能追加ボタンがＯＮされると、図４に示す機能追加処理ルーチンが実行され、ステップ７２で、入力ポート６８を介して機能を実行するためのプログラムを入力し、ステップ７４で入力した機能を画像処理回路６４に設定する。
【００１８】
尚、このように、機能を実現するためのプログラムを入力ポートを介して入力し、画像処理回路６４に新たに設定することに限定されず、画像処理回路６４中に保存されているプログラムを書き換えることにより、バージョンアップを行うことによって新たな機能を設定するようにしてもよい。
【００１９】
一方、ＤＳＣ１０は、操作装置３２中のシャッターがＯＮされた場合に、図５に示す撮影処理ルーチンを実行し、ステップ８２で撮影し、ステップ８４で、撮影して得られた画像データを、メモリに記憶せずに、そのまま通信装置３０により、通信回線、本実施の形態では、インターネットを介して送信する。
【００２０】
このように、ＤＳＣ１０の通信装置３０から送信された画像データを通信装置６２を介して受信したサーバー１６は、図６に示した画像処理ルーチンをスタートし、ステップ８６で、画像処理回路６４により、受信した画像データに画像処理を施す。
【００２１】
このように、サーバー１６は、ＤＳＣから画像データを受信し、受信した画像データに画像処理を施すようにしているので、ＤＳＣ１０では、撮影に必要な最低限の機能（画像を一時的に記憶するメモリー、画像を表示する表示装置）などを搭載すれば足り、ＤＳＣ１０の構成を簡単にすることができる。
【００２２】
また、本実施の形態にかかるサーバーは、ＤＳＣ１０から画像データを受信するようにしているので、画像データを即座に画像処理することができる。
【００２３】
加えて、ＤＳＣでは、撮影した画像を保存する必要がないので、大きな容量のメモリーを必要とすることがない。すなわち、ＤＳＣでは、撮影が終了すると当該撮影によって得られた画像データを保存する必要がないので、メモリーサイズによらず多くの画像撮影を可能とすることができる。
【００２４】
また、サーバー１６では、画像処理機能を追加入力等しているので、サーバーの改良により、画像処理機能を実行することができるので、ＤＳＣ本体の買い替えをすることなく機能を実行追加することができる。
【００２５】
【発明の効果】
以上説明したように本発明は、撮影装置から画像データを通信回線を介して受信し、受信した画像データに画像処理を施すようにしているので、即座に画像データを得て、画像処理を施すことができる、という効果を有する。
【図面の簡単な説明】
【図１】本実施の形態にかかるサーバ及びＤＳＣの図面である。
【図２】ＤＳＣのブロック図である。
【図３】サーバーのブロック図である。
【図４】サーバーが実行する機能追加処理ルーチンを示したフローチャートである。
【図５】ＤＳＣが実行する撮影処理ルーチンを示したフローチャートである。
【図６】サーバーが実行する画像処理ルーチンを示すフローチャートである。
【符号の説明】
１０　ＤＳＣ
１６　サーバー
６２　通信装置
６４　画像処理回路
【図１】
2004112486.tif 000003
【図２】
2004112486.tif 000004
【図３】
2004112486.tif 000005
【図４】
2004112486.tif 000006
【図５】
2004112486.tif 000007
【図６】
2004112486.tif 000008